(57)【要約】      （修正有）【課題】紛失しにくく、かつ梱包および携帯に便利であり、さらには全体の外観が非常に美しいオーニング装置の延伸ロッドを提供する。【解決手段】オーニング装置の延伸ロッドは、延伸ロッド２と係接部材３を含み、支柱１の上部は延伸ロッドを載置するためのスロット４を含み、係接部材は支柱に覆設されるとともにスロットに連通する円弧状孔５を含み、円弧状孔の上部と側辺には、円弧状孔に連通する円孔と係接口７とがそれぞれ設けられ、円孔と係接口は一体となって連通し、延伸ロッドの一端は円球端８であり、円球端は円弧状孔に対し回転するよう係合し、延伸ロッドの他端は係接端９であり、係接口は延伸ロッドまたは係接端と係接する。【選択図】図２
0003194131.tif 000002
【実用新案登録請求の範囲】
【請求項１】
オーニング体の支柱（１）に装着されるオーニング装置の延伸ロッドにおいて、
前記オーニング装置の延伸ロッドは、延伸ロッド（２）と係接部材（３）を含み、
前記支柱（１）の上部は延伸ロッド（２）を載置するためのスロット（４）を含み、前記係接部材（３）は支柱（１）に覆設されるとともに、スロット（４）に連通する円弧状孔（５）を含み、当該円弧状孔（５）の上部と側辺には、円弧状孔（５）に連通する円孔（６）と係接口（７）とがそれぞれ設けられ、前記円孔（６）と係接口（７）は一体となって連通し、前記延伸ロッド（２）の一端は円球端（８）であり、当該円球端（８）が円弧状孔（５）に対し回転するよう係合し、前記延伸ロッド（２）の他端は係接端（９）であり、前記係接口（７）は延伸ロッド（２）または係接端（９）と係接する、ことを特徴とするオーニング装置の延伸ロッド。
【請求項２】
前記支柱（１）上部の側辺はスロット（４）と連通する切欠き（１０）を含み、前記係接口（７）は切欠き（１０）に装着される、ことを特徴とする請求項１に記載のオーニング装置の延伸ロッド。
【請求項３】
前記係接端（９）の左右両端にはいずれも係合溝（１１）が設けられており、前記係接口（７）の左右両側には突出した係合片（１２）が設けられており、前記係合片（１２）と係合溝（１１）は係接する、ことを特徴とする請求項２に記載のオーニング装置の延伸ロッド。
【請求項４】
前記係接端（９）と延伸ロッド（２）の間はねじ（１３）が設けられ、ねじ（１３）によって固定接続されている、ことを特徴とする請求項３に記載のオーニング装置の延伸ロッド。
【請求項５】
前記係接口（７）と係合片（１２）は、延伸ロッドを係接する円弧状口を形成する、ことを特徴とする請求項３に記載のオーニング装置の延伸ロッド。
【請求項６】
前記円球端（８）と延伸ロッド（２）は溶接されており、前記係接部材（３）と係接端（９）の材料はいずれもプラスチックである、ことを特徴とする請求項４に記載のオーニング装置の延伸ロッド。
【考案の詳細な説明】
【技術分野】
【０００１】
本実用新案はアウトドア用品分野（例えば日よけ）に属し、具体的にはオーニング（ａｗｎｉｎｇ）装置の延伸ロッドに関する。
【背景技術】
【０００２】
従来のオーニング装置は、いずれも延伸ロッドとオーニング体という２つの独立した構造を備えており、延伸ロッドはオーニング体の軒として、着脱により実現される。延伸ロッドとオーニング体は２つの独立した構造であり、全体として占有スペースが大きいことから、携帯や梱包に不便である。また、延伸ロッド機構は小部材であるため紛失しやすい。
【考案の概要】
【考案が解決しようとする課題】
【０００３】
本考案は、従来技術では占有スペースが大きく、携帯に不便であり、使用が複雑で、延伸ロッドを紛失しやすい等の課題を解決すべく、オーニング体に内蔵または内嵌可能な延伸ロッドを提供する。
【課題を解決するための手段】
【０００４】
上記の技術的課題を解決するために、本考案は以下の技術方案を用いる。即ち、オーニング体の支柱に装着されるオーニング装置の延伸ロッドであって、前記オーニング装置の延伸ロッドは、延伸ロッドと係接部材を含み、前記支柱の上部は延伸ロッドを載置するためのスロットを含み、前記係接部材は支柱に覆設されるとともにスロットに連通する円弧状孔を含み、当該円弧状孔の上部と側辺には、円弧状孔に連通する円孔と係接口とがそれぞれ設けられ、前記円孔と係接口は一体となって連通し、前記延伸ロッドの一端は円球端であり、当該円球端は円弧状孔に対し回転するよう係合し、前記延伸ロッドの他端は係接端であり、前記係接口は延伸ロッドまたは係接端と係接する。
【０００５】
前記支柱上部の側辺はスロットと連通する切欠きを含み、前記係接口は切欠きに装着される。
【０００６】
前記係接端の左右両端にはいずれも係合溝が設けられており、前記係接口の左右両側には突出した係合片が設けられており、前記係合片と係合溝は係接する。
【０００７】
前記係接端と延伸ロッドの間はねじが設けられ、ねじによって固定接続されている。
【０００８】
前記係接口と係合片は、延伸ロッドを係接する円弧状口を形成する。
【０００９】
前記円球端と延伸ロッドは溶接されている。
【００１０】
前記係接部材と係接端の材料はいずれもプラスチックである。
【考案の効果】
【００１１】
本考案にかかるオーニング装置の延伸ロッドは内蔵または内嵌構造とされているため、従来技術における占有スペースが大きく、延伸ロッドを紛失しやすいとの課題が解決される。
【図面の簡単な説明】
【００１２】
【図１】図１は、本考案のオーニング装置に軒構造を設けた場合の斜視図である。
【図２】図２は、本考案におけるオーニング装置の延伸ロッド収納時の構造図である。
【図３】図３は、本考案におけるオーニング装置の延伸ロッド使用時の構造図である。
【図４】図４は、本考案における係接部材の斜視図である。
【図５】図５は、本考案における係接端の斜視図である。
【考案を実施するための形態】
【００１３】
以下、図面と実施例を組み合わせて本考案の具体的実施形態についてさらに詳細に述べる。なお、以下の実施例は本考案を説明するためのものであって、本考案の範囲を限定するものではない。
【００１４】
図１〜図５に示すオーニング装置の延伸ロッドはオーニング体の支柱１に装着され、前記オーニング装置の延伸ロッドは、延伸ロッド２と係接部材３を含む。前記支柱１の上部は延伸ロッド２を載置するためのスロット４を含み、当該スロット４は、占有スペースを縮小するとの目的を達成すべく、延伸ロッド２を収納および載置するためのものである。好ましい技術方案として、前記係接部材３は支柱１に覆設されるとともに、スロット４に連通する円弧状孔５を含み、当該円弧状孔５の上部と側辺には、円弧状孔５に連通する円孔６と係接口７とがそれぞれ設けられ、前記円孔６と係接口７は一体となって連通し、前記延伸ロッド２は円弧状孔５内で軸方向に移動可能であるとともに、一端が円球端８となっており、当該円球端８が円弧状孔５に対し回転するよう係合するため、延伸ロッド２を係接口７方向に回転させて係接口７と係接させることができ、結果として、延伸ロッド２が正常に使用可能となる。前記延伸ロッド２の他端は係接端９となっており、延伸ロッド２が係接口７から離脱して円孔６に到達するよう、延伸ロッド２を円弧状孔５沿いに上方へ回転させる。このとき、延伸ロッド２と円弧状孔５およびスロット４は同軸となる。そして、延伸ロッド２を下方へ引っ張り、係接端９が係接口７内に係接されるまでスロット４沿いに移動させる。これにより、延伸ロッド２とオーニング体が固定接続されるのみならず、オーニング装置全体の占有スペースが縮小されるため、携帯および梱包に便利であるほか、延伸ロッド２を紛失しにくくなり、さらにはオーニング装置全体の外観がより美しくなる。
【００１５】
前記支柱１上部の側辺はスロット４と連通する切欠き１０を含み、前記係接口７は切欠き１０に装着されるため、係接口７に十分なスペースが確保されるとともに、支柱１の材料が削減され、さらには係接部材の高さが低くなることから、係接部材３のコストが節減される。
【００１６】
前記係接端９の左右両端にはいずれも係合溝１１が設けられており、前記係接口７の左右両側には突出した係合片１２が設けられている。前記係合片１２と係合溝１１が係接することで、延伸ロッド２と係接部材３の係接が実現され、これにより、延伸ロッド２がしっかりと固定された状態でオーニング体に係接され、収納される。前記係接口７と係合片１２は、延伸ロッド２を係接する円弧状口を形成し、延伸ロッド２を円弧状口から離脱不可能とする。したがって、延伸ロッド２を正常に使用可能となる。延伸ロッド２は収納時と使用時の双方において係合片１２を利用するため、構造が非常にシンプルとなる。
【００１７】
前記係接端９と延伸ロッド２の間はねじ１３が設けられ、ねじ１３によって固定接続されている。前記円球端８と延伸ロッド２は溶接されている。前記係接部材３と係接端９の材料はいずれもプラスチックである。
【００１８】
以上は本考案の望ましい実施形態にすぎず、当業者であれば、本考案の技術原理から逸脱しないことを前提としてさらに若干の改良および追加が可能であり、これらの改良および追加もまた本考案の保護範囲とみなされるものとする。
【符号の説明】
【００１９】
１  支柱
２  延伸ロッド
３  係接部材
４  スロット
５  円弧状孔
６  円孔
７  係接口
８  円球端
９  係接端
１０  切欠き
１１  係合溝
１２  係合片
１３  ねじ
【図１】
0003194131.tif 000003
【図２】
0003194131.tif 000004
【図３】
0003194131.tif 000005
【図４】
0003194131.tif 000006
【図５】
0003194131.tif 000007